(57)【要約】【課題】リール脚の厚さの影響を受けにくく、ガタツキが発生しにくい釣竿用リールシートの移動フードと釣竿用リールシートと釣竿を提供する。【解決手段】リール脚５１の端部５２を覆う移動フード部３２を備え、リールシート本体２に回転不能な状態で軸線方向に移動可能に外装される筒状の移動フード３であって、移動フード部３２の内面に、奥側に向けて下降する上側傾斜面３３と、奥側に向けて上昇する下側傾斜面３４とを備え、上側傾斜面３３がリール脚５１の端部５２に上側から当接し、下側傾斜面３４がリール脚５１の端部５２に下側から当接する。【選択図】図５
2018113899.tif 000002
【特許請求の範囲】
【請求項１】
リール脚の端部を覆う移動フード部を備え、リールシート本体に回転不能な状態で軸線方向に移動可能に外装される筒状の移動フードであって、
移動フード部の内面に、奥側に向けて下降する上側傾斜面と、奥側に向けて上昇する下側傾斜面とを備え、上側傾斜面がリール脚の端部に上側から当接し、下側傾斜面がリール脚の端部に下側から当接することを特徴とする釣竿用リールシートの移動フード。
【請求項２】
上側傾斜面と下側傾斜面は、リール脚の端部の左右両角部にそれぞれ当接する請求項１記載の釣竿用リールシートの移動フード。
【請求項３】
上側傾斜面と下側傾斜面の左右方向中央部に、リール脚との接触を回避するための逃げ孔が上側傾斜面と下側傾斜面に跨るように形成されている請求項２記載の釣竿用リールシートの移動フード。
【請求項４】
上側傾斜面と下側傾斜面は、リール脚の端部の各角部に上下二箇所ずつ合計四箇所のみに当接する請求項３記載の釣竿用リールシートの移動フード。
【請求項５】
移動フード部の内面には、開口端から奥側に向けて下降する誘導傾斜面が形成され、該誘導傾斜面の奥側に上側傾斜面が延設されており、上側傾斜面は誘導傾斜面よりも傾斜角度が大きい請求項１乃至４の何れかに記載の釣竿用リールシートの移動フード。
【請求項６】
請求項１乃至５の何れかに記載の移動フードを備えた釣竿用リールシート。
【請求項７】
請求項６記載の釣竿用リールシートを備えた釣竿。
【発明の詳細な説明】
【技術分野】
【０００１】
本発明は、釣竿にリールを固定するための釣竿用のリールシートに用いられる筒状の移動フードと、該移動フードを備えた釣竿用リールシート、及び、該釣竿用リールシートを備えた釣竿に関する。
【背景技術】
【０００２】
従来、リールを釣竿に取り付けるために、釣竿の竿本体の外周面に装着される筒状のリールシートが知られている。該リールシートは、前後二つのフード部によってリール脚を前後に狭持する。一方のフード部は移動不能な固定フード部として構成され、例えばリールシート本体に形成される。他方のフード部は軸線方向に移動可能な移動フード部として構成され、例えばリールシート本体に外装される筒状の移動フードに形成される。そして、固定フード部にリール脚の前後方向両端部のうちの一方の端部を挿入し、移動フードを固定フード部に接近させてリール脚の他方の端部を移動フード部で覆って、固定フード部と移動フード部でリール脚を前後に狭持してリールを釣竿に固定する。
【０００３】
例えば、下記特許文献１、２では、移動フード部の傾斜した内面でリール脚の表面側を下方、即ちリールシート本体側に押し付ける構成とされている。かかる構成では、移動フードを移動させるためのナットを締め込んでいくと、移動フード部の内面がリール脚の表面に乗り上げていくことになる。従って、ナットを強く締め込むと、釣竿からリールを取り外しにくくなり、逆に、ナットを強く締め込まないと、締め付け力が不足してリール脚と移動フードとの間にガタツキが生じやすくなる。
【０００４】
これに対して、移動フード部の内側に水平な底部を設けて移動フード部を袋状とし、そこにリール脚の端部を差し込むことができるようにしたものもある（下記特許文献３〜６）。このように移動フード部を袋状に形成すると、リール脚の端部の表面側を移動フード部の内面の傾斜面で上から押さえると共に水平な底部がリール脚の端部の裏面側を下から支持することができる。そのため、ナットを強く締め込んでいっても移動フード部がリール脚の表面に乗り上がりにくいという利点がある。一方、リール脚の端部の厚さ（上下方向の寸法）はリールによって異なっている。そのため、底部を備えて移動フード部を袋状としても、リール脚の厚さが異なると、やはりガタツキが発生する場合がある。
【先行技術文献】
【特許文献】
【０００５】
【特許文献１】実開昭５７−１８７０６４号公報
【特許文献２】特開２００６−６２８０号公報
【特許文献３】実公平３−１３１８６号公報
【特許文献４】特開平１０−３２３１４７号公報
【特許文献５】特開２０１０−１１７８９号公報
【特許文献６】特開２０１０−５１２８２号公報
【特許文献７】特開２０１２−１１０３０３号公報
【発明の概要】
【発明が解決しようとする課題】
【０００６】
それゆえに本発明は、リール脚の厚さの影響を受けにくく、ガタツキが発生しにくい釣竿用リールシートの移動フードと釣竿用リールシートと釣竿を提供することを課題とする。
【課題を解決するための手段】
【０００７】
本発明は上記課題を解決すべくなされたものであって、本発明に係る釣竿用リールシートの移動フードは、リール脚の端部を覆う移動フード部を備え、リールシート本体に回転不能な状態で軸線方向に移動可能に外装される筒状の移動フードであって、移動フード部の内面に、奥側に向けて下降する上側傾斜面と、奥側に向けて上昇する下側傾斜面とを備え、上側傾斜面がリール脚の端部に上側から当接し、下側傾斜面がリール脚の端部に下側から当接することを特徴とする。尚、径方向外側を上側とし、径方向内側を下側とする。
【０００８】
該構成の移動フードにあっては、上側傾斜面と下側傾斜面がリール脚の端部に上下から当接する。従って、リール脚の端部の厚さが変化しても、上側傾斜面と下側傾斜面にリール脚の端部が安定して当接する。
【０００９】
特に、上側傾斜面と下側傾斜面は、リール脚の端部の左右両角部にそれぞれ当接することが好ましく、リール脚ががたつくことなく、リール脚をより一層しっかりと固定できる。
【００１０】
また、上側傾斜面と下側傾斜面の左右方向中央部に、リール脚との接触を回避するための逃げ孔が上側傾斜面と下側傾斜面に跨るように形成されていることが好ましく、リール脚を安定して固定できる。
【００１１】
特に、上側傾斜面と下側傾斜面は、リール脚の端部の各角部に上下二箇所ずつ合計四箇所のみに当接することが好ましく、リール脚をより一層安定的に固定できる。
【００１２】
また、移動フード部の内面には、開口端から奥側に向けて下降する誘導傾斜面が形成され、該誘導傾斜面の奥側に上側傾斜面が延設されており、上側傾斜面は誘導傾斜面よりも傾斜角度が大きいことが好ましい。このように誘導傾斜面が形成されていることで移動フード部の内側にリール脚の端部がスムーズに進入でき、更に、その奥側の上側傾斜面へとリール脚の端部を案内できる。そして、上側傾斜面の傾斜角度が誘導傾斜面のそれよりも大きいので、リール脚の端部が確実に上側傾斜面に当接すると共に、リール脚の軸線方向の長さが変更されても移動フードの固定位置は軸線方向に大きく変化することはない。
【００１３】
また、本発明に係る釣竿用リールシートは、上記移動フードを備えたものであり、本発明に係る釣竿は、上記リールシートを備えたものである。
【発明の効果】
【００１４】
以上のように、上下二つの傾斜面がリール脚の端部に上下から当接するので、リール脚の厚さの影響を受けにくく、ガタツキの発生が抑制されてリールをしっかりと固定することができる。
【図面の簡単な説明】
【００１５】
【図１】本発明の一実施形態における釣竿の要部を示す正面図。
【図２】同釣竿の要部を示す平面図。
【図３】同釣竿のリールシートの移動フードを後方から見た斜視図。
【図４】同移動フードの上側傾斜面と下側傾斜面を後方から見た概略図。
【図５】同リールシートにリール脚を取り付けた状態を示す要部断面図。
【図６】図２のＡ−Ａ断面図であって、（ａ）は移動フードのみを示し、（ｂ）は移動フードとリール脚との関係を示している。
【発明を実施するための形態】
【００１６】
以下、本発明の一実施形態に係る移動フード、それ備えた釣竿用のリールシート、及び釣竿について図面を参酌しつつ説明する。本実施形態におけるリールシートは、釣竿にリール５０を固定するためのものであって、釣竿の竿本体１に装着されて使用される。該リールシートは、いわゆるパイプシートと称されるものであって、全体として筒状のものであり、竿本体１に外装されて所定位置に接着固定される。リールシートとしては、スピニングリール５０を取り付けるためのものと、両軸リール５０を取り付けるためのものとがあり、本実施形態では、両軸リール５０を取り付けるためのものである。但し、スピニングリール５０用のリールシートであってもよい。使用状態において、両軸リール５０は釣竿の上側に位置する。尚、竿先側を前側と、竿尻側を後側と称する。従って、竿本体１やリールシートの軸線方向（中心線の方向）は前後方向である。リール５０は、その下部に、軸線方向に延びるリール脚５１を備えており、リール脚５１の前端部５２と後端部５３をそれぞれリールシートに固定することにより、釣竿に固定される。
【００１７】
リールシートは、竿本体１の外側に接着固定される筒状のリールシート本体２と、該リールシート本体２の外側に回転不能に且つ軸線方向に直線的に移動可能に被せられる筒状の移動フード３と、該移動フード３を軸線方向に移動させるための筒状のナット４とを備えている。尚、リールシート本体２の後側には、ＥＶＡやコルク等からなる筒状のグリップ５が竿本体１の外側に装着される。
【００１８】
リールシート本体２は、例えば合成樹脂製であって射出成形によって一体的に形成される。リールシート本体２の上面にはリール脚５１を載置するための脚載置面２０が形成されている。また、脚載置面２０の後側には、リール脚５１の後端部５３を保持するための固定フード部２１が一体的に形成されている。固定フード部２１は前側に開口する開口部を有していて、その開口部からリール脚５１の後端部５３が後側に向けて差し込まれる。
【００１９】
リールシート本体２の下面には指を引っ掛けるためのトリガ２２が下方に向けて突設されている。該トリガ２２は、固定フード部２１の略下方に位置している。また、リールシート本体２の下面であってトリガ２２の前側の位置には貫通孔２３が形成されていて、該貫通孔２３から竿本体１が部分的に表出する。従って、リールシートを把持する手の指で竿本体１に直接触れることができる。
【００２０】
リールシート本体２の前部には雄ネジ部２４が形成されている。雄ネジ部２４が形成された領域における左右両側面にはそれぞれ雄ネジ部２４が部分的に欠落したガイド溝２５が形成されている。該ガイド溝２５は移動フード３を案内するためのものであり、リールシート本体２には、左右一対のガイド溝２５が互いに１８０度対向した位置関係で形成されている。尚、リールシート本体２の上面にも雄ネジ部２４が部分的に形成されていない領域が存在している。
【００２１】
リールシート本体２の雄ネジ部２４にナット４が螺合している。ナット４の後側に移動フード３が位置している。移動フード３は筒状であってリールシート本体２の前部に被せられている。移動フード３の内周面には、図３のように左右一対の係合突条３０が軸線方向に沿って形成されており、該係合突条３０がリールシート本体２のガイド溝２５に係合することにより、移動フード３は、軸線回りに回転することなく、ガイド溝２５に案内されながら軸線方向に直線的に移動できる。移動フード３の前端部外周面には環状突条３１が形成されていて、該環状突条３１に、ナット４の後端部内周面に形成された図示しない環状溝が係合する。これによって、ナット４が回転しても移動フード３は回転せず、ナット４が回転しながら軸線方向に移動することに伴って移動フード３もナット４と共に軸線方向に移動する。
【００２２】
移動フード３は、後端部の全周のうち所定箇所に移動フード部３２を備えている。該移動フード部３２は、移動フード３の後端部の上部に形成されていて、移動フード３の後端部の全周のうちの上部が局所的に径方向外側に膨出して形成されている。移動フード部３２の内側にはリール脚５１の前端部５２が後側から差し込まれ、リール脚５１の前端部５２を移動フード部３２が上側から即ち径方向外側から覆う。移動フード３の移動フード部３２とリールシート本体２の固定フード部２１によりリール脚５１を前後に狭持してリール５０を釣竿に固定する。また、移動フード部３２は、移動フード３の後端部の他の部分よりも後方に庇状に延びている。
【００２３】
図３のように、移動フード部３２の内面であって移動フード３の後端部から所定距離奥側即ち前側に離れた位置には、奥側に向けて下降する上側傾斜面３３と、奥側に向けて上昇する下側傾斜面３４とが形成されている。上側傾斜面３３と下側傾斜面３４は移動フード部３２の内面の最奧部に位置している。図３及び図４において、上側傾斜面３３の領域と下側傾斜面３４の領域には多数のドットを付して示している。図５のように上側傾斜面３３はリール脚５１の前端部５２に上側から当接し、下側傾斜面３４はリール脚５１の前端部５２に下側から当接する。即ち、上側傾斜面３３はリール脚５１の前端部５２の表面側に当接し、下側傾斜面３４はリール脚５１の前端部５２の裏面側に当接する。これらの接触は点接触であるが、僅かな長さを有する線接触や僅かな面積を有する面接触であってもよく、これらを点状接触と総称する。
【００２４】
下側傾斜面３４は上側傾斜面３３の下側に位置している。下側傾斜面３４は上側傾斜面３３の前端部から後方且つ下方に向けて延設されている。従って、上側傾斜面３３と下側傾斜面３４は互いに上下に屈曲した関係にあって、上側傾斜面３３と下側傾斜面３４との間には左右方向に延びる屈曲部３５が形成されている。上側傾斜面３３と下側傾斜面３４の間の角度は例えば４０度〜１２０度であって好ましくは６０度〜１００度である。尚、上側傾斜面３３と下側傾斜面３４は、何れも、平面であってもよいし曲面であってもよい。
【００２５】
上側傾斜面３３と下側傾斜面３４の左右方向の中央部には、左右方向の中央部においてリール脚５１の前端部５２との接触を回避するための逃げ孔３６が奥側に向けて形成されている。該逃げ孔３６は、上側傾斜面３３と下側傾斜面３４を上下に跨るようにして形成されている。従って、逃げ孔３６が形成された部分において上側傾斜面３３と下側傾斜面３４は何れも上下方向の寸法が小さくなっている。また、上側傾斜面３３と下側傾斜面３４との間の屈曲部３５を上下に跨いで逃げ孔３６が左右方向中央部に形成されることによって、上側傾斜面３３と下側傾斜面３４は、左右三つの領域に区分けされることになり、上側傾斜面３３と下側傾斜面３４とが屈曲部３５を介して上下につながった左右一対の屈曲領域と、左右一対の上下屈曲領域間に位置し、上側傾斜面３３と下側傾斜面３４とが上下に分離した分離領域とに区分けされる。尚、図５は、右側の屈曲領域における断面を示している。また、図５において逃げ孔３６を二点鎖線で示している。
【００２６】
上側傾斜面３３は、左右一対の上主部４０と、両上主部４０の上端部同士を左右に連結する上連結部４１とから構成される。また、下側傾斜面３４は、左右一対の下主部４２と、両下主部４２の下端部同士を左右に連結する下連結部４３とから構成される。上側傾斜面３３は、左右一対の上主部４０においてリール脚５１の前端部５２に当接する。従って、上側傾斜面３３は、リール脚５１の前端部５２に左右に離間した二箇所で当接する。また、下側傾斜面３４は、左右一対の下主部４２においてリール脚５１の前端部５２に当接する。従って、下側傾斜面３４は、リール脚５１の前端部５２に左右に離間した二箇所で当接する。
【００２７】
より詳細には、上側傾斜面３３は、左右一対の上主部４０においてリール脚５１の前端部５２の左右両角部５２ａに上側から当接し、下側傾斜面３４は、左右一対の下主部４２においてリール脚５１の前端部５２の左右両角部５２ａに下側から当接する。このように上側傾斜面３３によって上側の二箇所、下側傾斜面３４によって下側の二箇所、上下合わせると合計四箇所でリール脚５１と当接し、その他の部分においてはリール脚５１とは非接触である。従って、リール脚５１の前端部５２の左右両角部５２ａにおいて上下二箇所ずつ合計四箇所のみでリール脚５１の前端部５２と移動フード部３２は接触する。尚、図５のように、上側傾斜面３３と下側傾斜面３４がリール脚５１の前端部５２に当接した状態において、上側傾斜面３３と下側傾斜面３４はリールシート本体２の脚載置面２０から前方に所定距離離間している。また、図６にも上側傾斜面３３及び下側傾斜面３４とリール脚５１の前端部５２の左側の角部５２ａとの当接関係を示している。リール脚５１の前端部５２は左側の角部５２ａにおいて上側傾斜面３３及び下側傾斜面３４にそれぞれ一箇所ずつ合計上下二箇所で点接触する。同様に、リール脚５１の前端部５２は右側の角部５２ａにおいても上側傾斜面３３及び下側傾斜面３４にそれぞれ一箇所ずつ合計上下二箇所で点接触する。
【００２８】
移動フード部３２の内面には誘導傾斜面３７が形成されている。該誘導傾斜面３７は移動フード３の開口端である後端から前側（奥側）に向けて形成されていて前側に向けて徐々に下降している。誘導傾斜面３７の前端部は上側傾斜面３３の後端部と接続しており、従って、誘導傾斜面３７の前側に上側傾斜面３３が続けて設けられている。上側傾斜面３３の傾斜角度は、移動フード３の中心線を通る水平面に対する傾斜角度であるが、その傾斜角度は、誘導傾斜面３７の傾斜角度よりも大きく急である。従って、上側傾斜面３３と誘導傾斜面３７は互いに上下に屈曲した関係にある。誘導傾斜面３７の軸線方向の長さは上側傾斜面３３のそれよりも長い。
【００２９】
以上のように構成された移動フード３を備えたリールシートにあっては、上側傾斜面３３と下側傾斜面３４がリール脚５１の前端部５２に上下から点接触する。従って、リール脚５１の前端部５２の厚さが変化しても、上側傾斜面３３と下側傾斜面３４にリール脚５１の前端部５２が安定して当接し、リール脚５１の厚さの影響を受けにくくなって、ガタツキの発生が抑制され、リール脚５１をしっかりと釣竿に固定することができる。
【００３０】
また、上側傾斜面３３と下側傾斜面３４は、リール脚５１の前端部５２の左右両角部５２ａにそれぞれ点接触するので、リール脚５１の前端部５２の左右方向中央部に接触する構成に比して、リール脚５１のガタツキをより一層抑制できてリール脚５１をしっかりと固定できる。特に、上側傾斜面３３と下側傾斜面３４の左右方向中央部に逃げ孔３６が形成されていて左右方向の中央部においてリール脚５１との接触が回避されて、上側傾斜面３３と下側傾斜面３４がリール脚５１の前端部５２の各角部５２ａに上下二箇所ずつ合計四箇所のみに点接触するので、上下左右の四箇所でリール脚５１をより一層確実に固定できる。
【００３１】
更に、上側傾斜面３３の後側に誘導傾斜面３７が形成されているので、移動フード部３２の内側にリール脚５１の前端部５２がスムーズに進入できる。特に、移動フード３の後端部の全周のうち移動フード部３２が局所的に後方に延びているので、誘導傾斜面３７の軸線方向の長さを長く形成できて、より一層スムーズにリール脚５１の前端部５２を移動フード部３２の内側へと案内できる。そして、誘導傾斜面３７の奥側に続けて上側傾斜面３３が位置しているので、リール脚５１の前端部５２が確実に上側傾斜面３３へと到達できて、上側傾斜面３３とその下側に位置する下側傾斜面３４の双方に確実にリール脚５１の前端部５２が当接することになる。
【００３２】
また、上側傾斜面３３の傾斜角度が誘導傾斜面３７の傾斜角度よりも大きいので、リール脚５１の前端部５２が確実に上側傾斜面３３に当接すると共に、軸線方向の長さが異なるリール脚５１を備えたリール５０が装着された場合であっても、移動フード３の固定位置は軸線方向に大きく変化することはなく、移動フード３を安定した保持位置にセットできる。
【００３３】
尚、本実施形態では、上側傾斜面３３の左右の上主部４０同士と下側傾斜面３４の左右の下主部４２同士がそれぞれ上連結部４１、下連結部４３によって連結されていたが、上側傾斜面３３の左右の上主部４０同士や下側傾斜面３４の左右の下主部４２同士が左右に分離した構成であってもよい。即ち、上側傾斜面３３が分離した状態で左右一対設けられた構成や、下側傾斜面３４が分離した状態で左右一対設けられた構成であってもよい。また、逃げ孔３６を形成しない構成であってもよく、リール脚５１の前端部５２の左右方向（幅方向）の中央部において上側傾斜面３３や下側傾斜面３４が当接する構成であってもよい。また更に、上側傾斜面３３と下側傾斜面３４が左右方向の全長において上下に分離した構成であってもよい。
【００３４】
また、移動フード部３２が後方に局所的に延びた構成であったが、移動フード部３２とは１８０度反対側の下部が後方に局所的に延びた構成であってもよいし、移動フード３の後端面が全周に亘って軸線方向と直交していてもよい。
【００３５】
両軸リール５０用のリールシートと移動フード３について説明したが、スピニングリール５０用のリールシートと移動フード３であってもよい。また、移動フード３は前側に配置されるものの他、後側に配置される構成であってもよい。即ち、移動フード３がリール脚５１の後端部５３を保持する構成であってもよい。
【符号の説明】
【００３６】
１    竿本体
２    リールシート本体
３    移動フード
４    ナット
５    グリップ
２０    脚載置面
２１    固定フード部
２２    トリガ
２３    貫通孔
２４    雄ネジ部
２５    ガイド溝
３０    係合突条
３１    環状突条
３２    移動フード部
３３    上側傾斜面
３４    下側傾斜面
３５    屈曲部
３６    逃げ孔
３７    誘導傾斜面
４０    上主部
４１    上連結部
４２    下主部
４３    下連結部
５０    リール
５１    リール脚
５２    前端部
５２ａ  角部
５３    後端部
【図１】
2018113899.tif 000003
【図２】
2018113899.tif 000004
【図３】
2018113899.tif 000005
【図４】
2018113899.tif 000006
【図５】
2018113899.tif 000007
【図６】
2018113899.tif 000008